(57)【要約】【課題】所定サイズを有する複数の製氷水溝内に所定量の製氷水を供給して製氷水の浪費を最小化し、冷却突起の冷却熱の消耗を低減して製氷時間を短縮することができる製氷機を提供する。【解決手段】製氷機本体と、冷凍システムに連結される蒸発管５０と、製氷水が溜まる多数の製氷水溝６３を有するベースフレーム６１と、蒸発管５０に設けられ、下部面に各製氷水溝６３内に供給された製氷水に浸される冷却突起６７が突設される冷却板６２、及び製氷水溝６３内に製氷水をポンピングする製氷水袋体７２とを含んでなる。【選択図】      図４
2004150786.tif 000002
【特許請求の範囲】
【請求項１】
製氷機本体と；
冷凍システムに連結される蒸発管と；
製氷水が溜まる多数の製氷水溝を有するベースフレームと；
前記蒸発管に設けられ、下部面に前記各製氷水溝内に供給される製氷水に浸される冷却突起が突設される冷却板；及び
前記製氷水溝内に製氷水をポンピングして製氷水内の気泡を除去することにより透明な氷が生成されるようにする気泡除去手段とを含むことを特徴とする製氷機。
【請求項２】
前記気泡除去手段が、
前記製氷水溝に連結されるように前記ベースフレームに備えられる製氷水流路と；
前記製氷水流路に連結され、内部に製氷水が充填される製氷水袋体；及び
前記製氷水袋体内の製氷水が前記各製氷水溝内へポンピングされるように前記製氷水袋体を周期的に加圧する加圧手段とを含むことを特徴とする請求項１に記載の製氷機。
【請求項３】
前記加圧手段が、
前記製氷水袋体に当接するように設けられるカム部材；及び
前記カム部材を回転させるためのカム駆動モーターとを含むことを特徴とする請求項１に記載の製氷機。
【請求項４】
前記製氷水袋体の一側には、前記製氷水溝内に製氷水を押し入れるための弁体が設けられることを特徴とする請求項２に記載の製氷機。
【請求項５】
前記製氷水袋体が、軟質のシリコン材からなることを特徴とする請求項２に記載の製氷機。
【請求項６】
前記カム部材と製氷水袋体との間には、加圧板が介在することを特徴とする請求項３に記載の製氷機。
【発明の詳細な説明】
【０００１】
【発明の属する技術分野】
本発明は製氷機に関し、より詳しくは、製氷時間を短縮し且つ捨てられる製氷水の量を最小化することができる製氷機に関する。
【０００２】
【従来の技術】
製氷機は、供給された製氷水を冷却させて製氷する装置であって、近年、製氷水内の気泡が凍りながら氷が濁ること（以下、‘白濁’と称する）が防止可能な製氷機が市販されている。
【０００３】
図１及び図２は、韓国登録特許第２７２８９４号に開示されている従来の製氷機を示す図であって、従来の製氷機は、製氷機本体１０と、製氷ユニット２０及び気泡除去手段４０とを含む。
【０００４】
製氷機本体１０は、製氷ユニット２０で製氷された氷を貯蔵するための氷貯蔵庫１１を備える。氷貯蔵庫１１の底部には、圧縮機１２と凝縮機１３が設けられる。
【０００５】
製氷ユニット２０は、図２に示したように、水トレイ２１と冷却板２３及び蒸発管３０とを含む。水トレイ２１には製氷水が溜まり、冷却板２３の下部面には製氷水に浸される多数の冷却突起２２が突設される。水トレイ２１の一側には、水トレイ２１を傾けて水トレイ２１内の結氷していない製氷水を排出するための旋回手段２４が備えられる。蒸発管３０は、冷却板２３の上部面に設けられ、冷凍システムに連結される。蒸発管３０内を冷媒が流れ、この冷媒の熱交換により冷却板２３及び冷却突起２２が冷却される。
【０００６】
気泡除去手段４０は、製氷水内の気泡を除去し、製氷時に白濁が生じることを防止するためのものであって、水トレイ２１内で上下に揺らぐ揺動板４１と、揺動板４１を揺らすための揺動用電動機４２とを含む。遥動用電動機４２に設けられた係止片４３が遥動板４１の係止ピン４４を押し上げると、遥動板４１が動きながら製氷水内の気泡を浮かび上がらせて除去する。
【０００７】
ここで、説明していない図面符号１４は製氷水供給管、２５は旋回軸、２６は排水ガイド板、そして、１５は排水筒である。
【０００８】
以下では、前記構成を有する従来の製氷機の作用を説明する。
【０００９】
製氷水が製氷水供給管１４内を流れて水トレイ２１内に流入され、冷却突起２２が製氷水に浸されると、蒸発管３０内を流れる冷媒の熱交換により氷点以下に冷却された冷却突起２２の周りで冷却水が結氷し始まる。このとき、遥動用電動機４２が作動し、製氷水内に浸されていた遥動板４１が上下に揺動する。これにより、製氷水が上下に揺動することで製氷水内の気泡が除去され、冷却突起２２の周りでは透明な氷が成長する。
【００１０】
冷却突起２２の周りに所定サイズの氷が生成されてから遥動板４１の遥動を止め、蒸発管３０内に、凝縮機１３を通さず圧縮機１２から吐き出された高熱冷媒を直接供給して冷却突起２２を加熱する。水トレイ２１は、旋回手段２４により旋回軸２５を中心にして傾けられる。したがって、生成された氷は冷却突起２２から分離して氷貯蔵庫１１内に落ち、水トレイ２１内の結氷しないで残っている製氷水は、排水ガイド板２６に沿って排水筒１５に排出される。
【００１１】
しかし、このような従来の製氷機では、製氷水が一つの貯蔵空間を有する水トレイ２１に溜められるため、生成される氷の量に比して過剰の製氷水が供給され、結氷しないで捨てられる製氷水の量が多い。
【００１２】
また、冷却突起２２の冷却熱が水トレイ２１内の製氷水の全体に伝わるため、冷却突起２２の冷却熱の消耗が多すぎて冷却突起２２周りの氷の成長速度が遅い。
【００１３】
【特許文献１】
韓国登録特許第２７２８９４号
【００１４】
【発明が解決しようとする課題】
本発明は、前記のような問題点を解決するためになされたものであって、その目的は、所定サイズを有する複数の製氷水溝内に所定量の製氷水を供給して製氷水の浪費を最小化し、且つ冷却突起の冷却熱の消耗を低減して製氷時間を短縮することができる製氷機を提供することにある。
【００１５】
【課題を解決するための手段】
前記目的を達成するための本発明による製氷機は、製氷機本体と；冷凍システムに連結される蒸発管と；製氷水が溜まる多数の製氷水溝を有するベースフレームと；前記蒸発管に設けられ、下部面に前記各製氷水溝内に供給される製氷水に浸される冷却突起が突設される冷却板；及び前記製氷水溝内に製氷水をポンピングして製氷水内の気泡を除去することにより透明な氷が生成されるようにする気泡除去手段とを含むことを特徴とする。
【００１６】
ここで、前記気泡除去手段は、前記製氷水溝に連結されるように前記ベースフレームに備えられる製氷水流路と；前記製氷水流路に連結され、内部に製氷水が充填される製氷水袋体；及び前記製氷水袋体内の製氷水が前記各製氷水溝内にポンピングされるように前記製氷水袋体を周期的に加圧する加圧手段とを含むことが好ましい。
【００１７】
また、前記加圧手段は、前記製氷水袋体に当接するように設けられるカム部材；及び前記カム部材を回転させるためのカム駆動モーターとを含むことが良い。
【００１８】
なお、前記製氷水袋体の一側には、前記製氷水溝内に製氷水を押し入れるための弁体が設けられることが好ましい。
【００１９】
更に、前記製氷水袋体は、軟質のシリコン材からなることが良い。また、前記カム部材と製氷水袋体との間には、加圧板が介在することが好ましい。
【００２０】
【発明の実施の形態】
以下では、添付した図面を参照して、本発明による製氷機の好適な実施の形態の詳細について説明する。参考に、本発明を説明するにおいて、従来とその構成及び作用が同一の構成要素については同一の図面符号を付して引用する。
【００２１】
図３ないし図５に示したように、本発明による製氷機は、製氷機本体１０と、製氷ユニット６０及び気泡除去手段７０とを含む。
【００２２】
製氷機本体１０は、製氷ユニット６０で製氷された氷を貯蔵するための氷貯蔵庫１１を有する。氷貯蔵庫１１の低部には、冷凍システムをなす圧縮機１２と凝縮機１３が設けられ、氷貯蔵庫１１の一側には、結氷していない製氷水を排出するための排水筒１５が設けられる。
【００２３】
製氷ユニット６０は、ベースフレーム６１と、冷却板６２及び蒸発管５０とを含む。ここで、ベースフレーム６１は、製氷機本体１０に旋回可能に設けられ、製氷水が流れ込む製氷水溝６３を有する。ベースフレーム６１が旋回手段６４により旋回軸６５を中心にして所定角度を旋回すると、製氷水溝６３内の結氷していない製氷水は排水ガイド板６６に沿って排出される。製氷水溝６３は、氷の大きさ及び製氷水の結氷時間を考慮して適する大きさで多数、例えば、２０〜３０個、好ましくは２７個が製氷される。
【００２４】
冷却板６２は、上部面に蒸発管５０が設けられ、下部面には、製氷水溝６３内に流れ込まれた製氷水に浸される冷却突起６７が設けられる。蒸発管５０は、冷媒が流れるように前記冷凍システムに連結される。冷却突起６７は、蒸発管５０内を流れる冷媒の熱交換により氷点以下に冷却され、その周りで氷が成長する。
【００２５】
気泡除去手段７０は、製氷水溝６３に連結されるようにベースフレーム６１に備えられる製氷水流路７１と、製氷水流路７１に連結される製氷水袋体７２及び製氷水袋体７２を周期的に加圧するためのカム部材７３とを備える。
【００２６】
製氷水袋体７２は、製氷水流路７１に連結される流出口７４と弁体７６が設けられる流入口７５とを有する。弁体７６は、流入口７５を開閉して製氷水供給管１６から製氷水袋体７２内に供給される製氷水の流入を制御する。製氷水袋体７２は、外部からの加圧力により変形し得るようにシリコン材のような軟質の材質からなる。したがって、製氷水袋体７２は、外部から加圧力を受けると、収縮しながら所定量の製氷水を製氷水流路７１側に吐き出すことで製氷水溝６３内の製氷水の水位を上昇させる。そして、外部加圧力が解除されると、製氷水袋体７２は、元の形状に膨らみ上がりながら吐き出された製氷水を吸いいれ、製氷水溝６３内の製氷水の水位は、元の位置に戻って低くなる。
【００２７】
カム部材７３は、製氷水袋体７２を周期的に加圧するためのものであって、カム駆動モーター７７に連結されるカム軸７８に回転可能に設けられる。カム部材７３と製氷水袋体７２との間には加圧板７９が設けられる。加圧板７９は、製氷水袋体７２がカム部材７３との摩擦により損傷することを防止し、製氷水袋体７２に対するカム部材７３の加圧面積を増加させる。
【００２８】
以下では、本発明による製氷機の作動について説明する。
【００２９】
製氷水袋体７２と製氷水供給管１６との間に設けられた弁体７６が開放すると、製氷水袋体７２内の製氷水が押し入れられる。製氷水袋体７２の製氷水は、流出口７４を通じて流出され、製氷水流路７１を通って製氷水溝６３内に流入される。製氷水溝６３内の製氷水が適正の水位Ｈに到達すると、弁体７６が閉となって製氷水の流入が遮断される。このとき、製氷水袋体７２は、製氷水でいっぱいになった膨張状態をなす。
【００３０】
製氷水の流入後、カム駆動モーター７７が作動すると、カム部材７３が加圧板７９に当接し回転しながら製氷水袋体７２を周期的に加圧する。これにより、製氷水袋体７２は、収縮と膨張とを繰り返しながら製氷水を製氷水溝６３側にポンピングする。したがって、製氷水溝６３内の製氷水は上下に遥動し、製氷水の水位は、Ｈ１からＨ２との間で乗降を繰り返す。
【００３１】
製氷水溝６３内の製氷水が上下に遥動しながら冷却突起６７周りの結氷面に停滞されていた気泡を浮かび上がらせる。したがって、蒸発管５０内の冷媒の熱交換により約−２２℃に冷却された冷却突起６７の周りには、気泡が除去された製氷水が結氷しながら透明な氷が成長する。
【００３２】
冷却突起６７の周りに所定サイズの氷が生成されると、カム部材７３は、回転を止め、ベースフレーム６１は、旋回手段６４により旋回軸６５を中心にして旋回する。ベースフレーム６１が一側に傾くと、製氷水溝６３内の結氷していない製氷水が排水ガイド板６６に沿って排水筒１５に排出される。そして、蒸発管５０には、圧縮機１２を通った高熱の冷媒が凝縮機１３を経由せずにバイパスされる。これにより、冷却突起６７が約１０℃に加熱されると、製氷された氷が冷却突起６７から分離されて氷貯蔵庫１１内に落ちる。
【００３３】
【発明の効果】
以上で説明したような本発明によると、所定サイズを有する複数の製氷水溝６３内のそれぞれに所定量の製氷水が供給されるため、従来に比べて製氷水の供給量を減らすことができ、結果として、捨てられる製氷水の量を低減することができる効果を奏する。
【００３４】
また、本発明によると、氷点以下に冷却される冷却突起６７が各製氷水溝６３内に流入された所定量の製氷水に浸されるため、冷却突起６７の冷却熱の消耗を低減することができ、製氷時間を短縮することができる。
【００３５】
以上、本発明を、本発明の原理を例示するための好適な実施の形態について図示し説明したが、本発明は、その図示し説明した実施の形態通りの構成及び作用に限定されることではない。却って、添付した請求の範囲の思想及び範囲を逸脱することなく本発明に対する種々の変形及び修正が可能であることが、当業者であればよく理解できるはずである。また、それに適する変形及び修正と均等物も本発明の請求の範囲に属することはいうまでもない。
【図面の簡単な説明】
【図１】従来の製氷機の構成を概略的に示す断面図である。
【図２】図１の要部の構成を概略的に示す側面図である。
【図３】本発明の好適な実施の形態による製氷機の構成を概略的に示す断面図である。
【図４】図３の要部の構成を概略的に示す断面図である。
【図５】図３の製氷ユニットの作動を説明するための部分断面図である。
【符号の説明】
１０  製氷機本体
１１  氷貯蔵庫
１６  製氷水供給管
５０  蒸発管
６０  製氷ユニット
６１  ベースフレーム
６２  冷却板
６３  製氷水溝
６７  冷却突起
７０  気泡除去手段
７１  製氷水流路
７２  製氷水袋体
７３  カム部材
７６  弁体
７７  カム駆動モーター
７８  カム軸
７９  加圧板
【図１】
2004150786.tif 000003
【図２】
2004150786.tif 000004
【図３】
2004150786.tif 000005
【図４】
2004150786.tif 000006
【図５】
2004150786.tif 000007